(57)【要約】【課題】保持リブが割れるのを抑えることができる二重容器を提供する。【解決手段】内容物が収容されるとともに内容物の減少に伴い減容変形する内容器２、および内容器が内装される外容器３を備える二重容器１であって、外容器の底壁部には、外周部に位置する接地部２１と、接地部に径方向の内側から連なり、容器軸Ｏ方向の内側に窪む陥没凹部２２と、陥没凹部内に配置され、内容器と外容器を挟み込んで一体的に保持する保持リブ２３と、が形成され、接地部には、容器軸方向の外側に向けて膨出する膨出部２５、２６、２７が、容器軸回りの周方向に沿って複数形成されている。【選択図】図１
2018002235.tif 000002
【特許請求の範囲】
【請求項１】
内容物が収容されるとともに内容物の減少に伴い減容変形する内容器、および前記内容器が内装される外容器を備える二重容器であって、
前記外容器の底壁部には、外周部に位置する接地部と、前記接地部に径方向の内側から連なり、容器軸方向の内側に窪む陥没凹部と、前記陥没凹部内に配置され、前記内容器と前記外容器を挟み込んで一体的に保持する保持リブと、が形成され、
前記接地部には、前記容器軸方向の外側に向けて膨出する膨出部が、前記容器軸回りの周方向に沿って複数形成されていることを特徴とする二重容器。
【請求項２】
それぞれの前記膨出部は、前記容器軸方向の外側に向けて突の曲面状に形成されていることを特徴とする請求項１に記載の二重容器。
【請求項３】
前記複数の膨出部は、前記接地部に周方向に連ねられて配置されていることを特徴とする請求項１又は２に記載の二重容器。
【請求項４】
前記複数の膨出部は、それぞれの前記膨出部において周方向の長さが最大となる最大周長部分が、前記容器軸を中心とした同一円上に位置するように配置されていることを特徴とする請求項１から３のいずれか一項に記載の二重容器。
【請求項５】
それぞれの前記膨出部における前記最大周長部分の周方向の長さが、互いに同等になっていることを特徴とする請求項４に記載の二重容器。
【発明の詳細な説明】
【技術分野】
【０００１】
本発明は、二重容器に関する。
【背景技術】
【０００２】
従来から、例えば特許文献１に示されるような、内容物が収容されるとともに内容物の減少に伴い減容変形する内容器、および内容器が内装される外容器を備える二重容器が知られている。この種の二重容器では、一般に、外容器の底壁部に、外周部に位置する接地部と、接地部に径方向の内側から連なり、容器軸方向の内側に窪む陥没凹部と、陥没凹部内に配置され、内容器と外容器を挟み込んで一体的に保持する保持リブ（底シール部）と、が形成されている。
【０００３】
保持リブにおいて外容器に内容器を固定することで、例えば外容器をスクイズ変形（弾性変形）させて内容器に収容された内容物を吐出する場合に、内容器を適切に減容変形させて、内容器内に内容物が残存することが抑えられる。
なお、外容器をスクイズ変形させることなく二重容器を単に傾けることによっても、内容物を吐出することができる。
【先行技術文献】
【特許文献】
【０００４】
【特許文献１】特許第５９１７３６８号公報
【発明の概要】
【発明が解決しようとする課題】
【０００５】
しかしながら、前記従来の二重容器では、例えば落下等により外容器の底壁部に衝撃力が加えられたとき等に、保持リブが割れる恐れがある。特に、外容器を比較的柔らかい樹脂材料で形成した場合に比べて、比較的硬い樹脂材料で形成した場合には、保持リブが割れやすくなる。
また、外容器の口部に、外容器と内容器との間の外気流入隙間に開口する吸気孔が形成され、吸気孔を通した外部と外気流入隙間との連通およびその遮断を切り替える空気弁を備える二重容器が知られている。この種の二重容器において、保持リブが割れてしまうと、外容器をスクイズ変形しても外気流入隙間内の空気が保持リブの割れを通して外部に流出する。このため、内容器を減容変形させにくくなる。
【０００６】
本発明は、このような問題点に鑑みてなされたものであって、保持リブが割れるのを抑えることができる二重容器を提供することを目的とする。
【課題を解決するための手段】
【０００７】
上記課題を解決するために、この発明は以下の手段を提案している。
本発明の二重容器は、内容物が収容されるとともに内容物の減少に伴い減容変形する内容器、および前記内容器が内装される外容器を備える二重容器であって、前記外容器の底壁部には、外周部に位置する接地部と、前記接地部に径方向の内側から連なり、容器軸方向の内側に窪む陥没凹部と、前記陥没凹部内に配置され、前記内容器と前記外容器を挟み込んで一体的に保持する保持リブと、が形成され、前記接地部には、前記容器軸方向の外側に向けて膨出する膨出部が、前記容器軸回りの周方向に沿って複数形成されていることを特徴としている。
【０００８】
この場合、底壁部の接地部に複数の膨出部が形成されるので、この接地部に柔軟性を具備させることができる。したがって、例えば二重容器が正立姿勢で落下したとき等、外容器の接地部に衝撃力が与えられたとしても、この衝撃力は、複数の膨出部に受け止められ、複数の膨出部が変形することで周方向に分散して吸収され、保持リブに伝わりにくい。したがって、保持リブが割れるのを抑えることができる。
【０００９】
それぞれの前記膨出部は、前記容器軸方向の外側に向けて突の曲面状に形成されていてもよい。
この場合、接地部の柔軟性を確実に向上させることができるとともに、膨出部に局所的に大きな負荷が加えられる部分が生じるのを抑制することができる。
【００１０】
前記複数の膨出部は、前記接地部に周方向に連ねられて配置されてもよい。
この場合、周方向で互いに隣り合う膨出部同士が周方向に支持し合うことになり、接地部に膨出部を形成したことで接地安定性が低下するのを抑制することができる。
【００１１】
前記複数の膨出部は、それぞれの前記膨出部において周方向の長さが最大となる最大周長部分が、前記容器軸を中心とした同一円上に位置するように配置されてもよい。
この場合、接地部に加えられた衝撃力を複数の膨出部によって全周にわたって偏り少なく受け止めさせることが可能になるとともに、接地安定性の低下を確実に抑えることができる。
【００１２】
それぞれの前記膨出部における前記最大周長部分の周方向の長さが、互いに同等になってもよい。
この場合、接地部のうち衝撃力を受ける周方向の位置によらず、複数の膨出部により衝撃力を確実に分散して吸収することができる。
【発明の効果】
【００１３】
本発明の二重容器によれば、保持リブが割れるのを抑えることができる。
【図面の簡単な説明】
【００１４】
【図１】本発明に係る二重容器の一実施形態を示す一部を破断した側面図である。
【図２】同二重容器の底面図である。
【図３】図２におけるＡ方向矢視図である。
【発明を実施するための形態】
【００１５】
以下、本発明に係る二重容器の一実施形態を、図１から図３を参照しながら説明する。
図１に示すように、本実施形態の二重容器１は、図示しない内容物が収容される内容器２、および内容器２が内装される外容器３を備える。図示の例では、二重容器１は、外容器３の内面に内容器２が剥離可能に積層されたデラミボトル（積層剥離型容器）となっている。
内容器２は、内容物の減少に伴い減容変形（しぼみ変形）する可撓性に富む材料で形成されている。外容器３は、スクイズ変形可能（弾性変形可能）に形成されている。
【００１６】
内容器２および外容器３は、例えば、ポリエチレンテレフタレート樹脂およびポリエチレンナフタレート樹脂等のポリエステル系樹脂、ポリエチレン樹脂およびポリプロピレン樹脂等のポリオレフィン系樹脂、ナイロン等のポリアミド系樹脂、または、エチレンビニルアルコール共重合樹脂等を用い、内容器２と外容器３とが剥離可能（相溶性が低い）となる組み合わせで形成することができる。
【００１７】
この二重容器１は、口部１０、胴部１１および底部１２が容器軸Ｏ方向に沿ってこの順に連設されている。なお本実施形態では、容器軸Ｏに沿って口部１０側を上側、底部１２側を下側という。二重容器１を容器軸Ｏ方向から見た平面視において、容器軸Ｏに交差（直交）する方向を径方向といい、容器軸Ｏ回りに周回する方向を周方向という。
【００１８】
胴部１１のうち外容器３を構成する部分には、一対のリブ群１４が設けられている（一方のリブ群１４は不図示）。各リブ群１４は、容器軸Ｏを径方向に挟むように形成されている。各リブ群１４の構成は、互いに基本的に同一となっているため、以下では一方のリブ群１４について説明する。
リブ群１４は、上側から下側に向けて延びるとともに周方向に並べて配置された複数の凹溝１５を備えている。複数の凹溝１５は、外容器３の外周面に形成されている。外容器３の内周面には、凹溝１５に対応する図示しない凸条が形成されている。
外容器３の内周面のうち凸条が位置する部分と内容器２の外周面との間に、図示しない隙間が設けられている。このように構成することで、外容器３から内容器２が剥離しやすくなる。
【００１９】
胴部１１には、外容器３に対して内容器２を剥離不能に接着する図示しない固着部が設けられている。固着部は、胴部１１の全長にわたって容器軸Ｏ方向に延在する帯状に形成されていて、外容器３および内容器２それぞれの周方向の一部同士を互いに固着する。
なお、外容器３のうち、少なくとも胴部１１に位置する胴部部分は、径方向の内側に向けて弾性変形可能となっている。
【００２０】
口部１０は、胴部１１の上端開口部から上方に向けて延び、胴部１１と同軸に配置されている。口部１０のうち内容器２を構成する部分の上側には、開口２ａが形成されている。
口部１０のうち外容器３を構成する部分の外周面には、雄ねじ部１７と、雄ねじ部１７の下側に位置し、外容器３と内容器２との間に外気を吸入させる一対の吸気孔１８と、が形成されている（一方の吸気孔１８は不図示）。一対の吸気孔１８は、容器軸Ｏを径方向に挟むように配置されている。各吸気孔１８は、外容器３と内容器２との間の外気流入隙間に連通する。
【００２１】
二重容器１は、図示はしないが、吸気孔１８を通した外部と外気流入隙間との連通およびその遮断を切り替える空気弁を備える吐出キャップを、口部１０に装着した状態で使用される。
【００２２】
図１および図２に示すように、底部１２は、胴部１１に連設され、胴部１１の下端開口部を閉塞している。底部１２における外容器３の底壁部には、外周部に位置する接地部２１と、接地部２１に径方向の内側から連なり、上側（容器軸Ｏ方向の内側）に窪む陥没凹部２２と、陥没凹部２２内に配置された保持リブ２３（底シール部）と、が形成されている。
【００２３】
図１から図３に示すように、保持リブ２３は、底部１２のパーティングラインに沿って直線状に延びるとともに、下側を向く突条状に形成されている。保持リブ２３は、図示はしないが内容器２と外容器３を重合圧着して突条状に形成され、互い違いに食い込む構造となっている。保持リブ２３は、陥没凹部２２から径方向の外側に向けて延び、接地部２１に至っている。
保持リブ２３の表裏面には、互い違いに食い込むピン打ち孔２３ａが複数形成されている。それぞれのピン打ち孔２３ａは、保持リブ２３を貫通しない。数のピン打ち孔２３ａは、一方向に隣り合うピン打ち孔２３ａの開口方向が交互に逆向きとなるように形成されている。
【００２４】
接地部２１は、容器軸Ｏと同軸に配置され、環状に形成されている。
接地部２１には、下側（容器軸Ｏ方向の外側）に向けて膨出する膨出部２５〜２７が、容器軸Ｏ回りの周方向に沿って複数形成されている。複数の膨出部２５〜２７は、第一膨出部２５と、第二膨出部２６と、第三膨出部２７と、を備える。
【００２５】
第一膨出部２５は、４つ配置され、保持リブ２３における前記一方向の両端部を、径方向のうちの前記一方向に直交する他方向に挟む位置に各別に配置されている。そして、第一膨出部２５、第二膨出部２６、及び第三膨出部２７が周方向にこの順に配置されている。
第一膨出部２５の径方向の長さＬ１よりも、第二膨出部２６の径方向の長さＬ２の方が長い。第二膨出部２６の径方向の長さＬ２よりも、第三膨出部２７の径方向の長さＬ３の方が長い。
【００２６】
第一〜第三膨出部２５〜２７は、それぞれの径方向の外端部が、容器軸Ｏを中心とした同一の円上に位置するように配置されている。第一膨出部２５の径方向の内端部は、第二膨出部２６の径方向の内端部よりも径方向の外側に位置している。第二膨出部２６の径方向の内端部は、第三膨出部２７の径方向の内端部よりも径方向の外側に位置している。
図２に示す底面視において、第一膨出部２５は周方向に長い長円形状に形成され、第二膨出部２６及び第三膨出部２７は径方向に長い長円形状に形成されている。
第一〜第三膨出部２５〜２７は、下側に向けて突の曲面状に形成されている。第一〜第三膨出部２５〜２７は、互いにほぼ等しい厚さの半球殻状に形成されている。
【００２７】
図１から図３に示すように、第一〜第三膨出部２５〜２７は、接地部２１に周方向に連ねられて配置されている。すなわち、周方向に隣り合う第一〜第三膨出部２５〜２７は、隙間無く配置されている。なお、第三膨出部２７の外周縁における周方向の両端は、径方向に直線状に延びている。第二膨出部２６の外周縁のうち第三膨出部２７の外周縁との接続部は、径方向に直線状に延びている。
【００２８】
第一〜第三膨出部２５〜２７は、第一〜第三膨出部２５〜２７において周方向の長さが最大となる最大周長部分２５ａ〜２７ａが、容器軸Ｏを中心とした同一の円Ｃ上に位置するように配置されている。第一膨出部２５の最大周長部分２５ａの周方向の長さＬ４と、第二膨出部２６の最大周長部分２６ａの周方向の長さＬ５と、第三膨出部２７の最大周長部分２７ａの周方向の長さＬ６とは、互いに同等（互いに等しいも含む）である。
第一〜第三膨出部２５〜２７は、保持リブ２３よりも下側に突出している。
【００２９】
このように構成された本実施形態の二重容器１は、ブロー成形により製造される。ブロー成形としては、例えば押出成形等によって二重（内外）に組み合わされた積層パリソンを形成し、この積層パリソンをブロー成形することで二重容器１を形成しても良い（押出ブロー成形）。また、射出成形等によって外容器３用のプリフォーム、および内容器２用のプリフォームを形成し、これらを二重（内外）に組み合わせた後、二軸延伸ブロー成形することで二重容器１を形成しても構わない。
なお、外容器３用のプリフォームを先に二軸延伸ブロー成形して外容器３を形成した後、内容器２用のプリフォームを内部に配置し、その後、内容器２用のプリフォームを二軸延伸ブロー成形することで二重容器１を形成しても構わない。
【００３０】
以上説明したように、本実施形態の二重容器１によれば、接地部２１に複数の膨出部２５〜２７が形成されるので、この接地部２１に柔軟性を具備させることができる。したがって、例えば二重容器１が正立姿勢で落下したとき等、外容器３の接地部２１に衝撃力が与えられたとしても、この衝撃力は、複数の膨出部２５〜２７に受け止められる。衝撃力は、複数の膨出部２５〜２７が変形することで周方向に分散して吸収され、保持リブ２３に伝わりにくい。したがって、保持リブ２３が割れるのを抑えることができる。
例えば、外容器３がポリプロプレン等の比較的硬い樹脂材料で形成されている場合には、二重容器１が正立姿勢で落下したとき等に保持リブ２３が割れやすくなるため、このような作用効果が顕著に奏功される。
【００３１】
第一〜第三膨出部２５〜２７は下側に向けて突の曲面状に形成されているため、接地部２１の柔軟性を確実に向上させることができるとともに、第一〜第三膨出部２５〜２７に局所的に大きな負荷が加えられる部分が生じるのを抑制することができる。
第一〜第三膨出部２５〜２７は、接地部２１に周方向に連ねられて配置されているため、周方向で互いに隣り合う第一〜第三膨出部２５〜２７同士が周方向に支持し合うことになる。接地部２１に第一〜第三膨出部２５〜２７を形成したことで、二重容器１の接地安定性が低下するのを抑制することができる。
【００３２】
第一〜第三膨出部２５〜２７の最大周長部分２５ａ〜２７ａが、容器軸Ｏを中心とした同一の円Ｃ上に位置するように配置されているため、接地部２１に加えられた衝撃力を第一〜第三膨出部２５〜２７によって全周にわたって偏り少なく受け止めさせることが可能になるとともに、二重容器１の接地安定性の低下を確実に抑えることができる。
第一〜第三膨出部２５〜２７における最大周長部分２５ａ〜２７ａの周方向の長さＬ４〜Ｌ６が互いに同等であるため、接地部２１のうち衝撃力を受ける周方向の位置によらず、第一〜第三膨出部２５〜２７により衝撃力を確実に分散して吸収することができる。
第一〜第三膨出部２５〜２７は、保持リブ２３よりも下側に突出しているため、衝撃力が保持リブ２３に直接与えられにくい。
【００３３】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、第一〜第三膨出部２５〜２７は下側に向けて突の曲面状に形成されているとしたが、膨出部は、例えば上側が開口する有底筒状や箱状等に形成されてもよい。周方向に隣り合う膨出部の間に、隙間が形成されてもよい。第一〜第三膨出部２５〜２７の最大周長部分２５ａ〜２７ａは、容器軸Ｏを中心とした同一の円Ｃ上に位置せずに、径方向にずれるように配置されてもよい。第一〜第三膨出部２５〜２７の最大周長部分２５ａ〜２７ａの周方向の長さが互いに異なっていてもよい。これらのように構成しても、二重容器１が落下したとき等の衝撃力を膨出部で受け止めることができるからである。
【００３４】
実施形態では、第一〜第三膨出部２５〜２７の形状は互いに同一でもよい。また、接地部２１に形成される膨出部の数は複数であれば特に限定されない。
二重容器１は口部１０に吸気孔１８が形成されるとしたが、二重容器１は、外容器３と内容器２との間に設けられた中間空間に連通するスリット等が底部１２に形成されるとしてもよい。
二重容器１として内容器２が外容器３の内周面に剥離可能に積層された積層剥離型容器とした。しかし、二重容器はこれに限定されず、外容器と内容器との間に隙間が確保された二重容器としても構わない。ただし、積層剥離型容器とした場合には、汎用性を高めることができるので好ましい。
【符号の説明】
【００３５】
１    二重容器
２    内容器
３    外容器
２１  接地部
２２  陥没凹部
２３  保持リブ
２５  第一膨出部（膨出部）
２５ａ、２６ａ、２７ａ  最大周長部分
２６  第二膨出部（膨出部）
２７  第三膨出部（膨出部）
Ｃ    円
Ｌ４、Ｌ５、Ｌ６  長さ
Ｏ    容器軸
【図１】
2018002235.tif 000003
【図２】
2018002235.tif 000004
【図３】
2018002235.tif 000005